(57)【要約】ゲーム用トークンを使用してゲームを補助するように構成されるトークンソート装置であって、ゲームが複数の段階を有し、トークンソート装置が、ゲーム用トークンを受け入れるように構成される投入開口部と、ゲーム用トークンの所定の特性に従ってゲーム用トークンをソートするように構成されるソート機構と、投入開口部によって受け入れられたゲーム用トークンをソート機構に移すように構成される移動部材と、ソート機構及び移動部材の画像を取得するように構成されるカメラと、カメラとデジタル通信する表示部材であり、画像をユーザに表示するように構成される、表示部材と、シグナルをユーザに提供するように構成されるシグナリング部材であり、シグナルがゲームの段階又はゲームの状態を示すように構成される、シグナリング部材とを備える、トークンソート装置が提供される。【選択図】  図１
2021511862.tif 000002
【特許請求の範囲】
【請求項１】
ゲーム用トークンを使用してゲームを補助するように構成されるトークンソート装置であって、前記ゲームが複数の段階を有し、前記トークンソート装置が、
ゲーム用トークンを受け入れるように構成される投入開口部と、
前記ゲーム用トークンの所定の特性に従ってゲーム用トークンをソートするように構成されるソート機構と、
前記投入開口部によって受け入れられたゲーム用トークンを前記ソート機構に移すように構成される移動部材と、
前記ソート機構及び前記移動部材の画像を取得するように構成されるカメラと、
前記カメラとデジタル通信する表示部材であり、前記画像をユーザに表示するように構成される、表示部材と、
シグナルを前記ユーザに提供するように構成されるシグナリング部材であり、前記シグナルが前記ゲームの段階又は前記ゲームの状態を示すように構成される、シグナリング部材と
を備える、トークンソート装置。
【請求項２】
前記シグナルが、前記トークンソート装置の状態を示すようにさらに構成される、請求項１に記載のトークンソート装置。
【請求項３】
前記シグナリング部材が、少なくとも１つの照明部材を備える、請求項１又は２に記載のトークンソート装置。
【請求項４】
前記シグナルが、照明の表示を含む、請求項１〜３のいずれか一項に記載のトークンソート装置。
【請求項５】
前記照明の表示が、一連の照明を含む、請求項４に記載のトークンソート装置。
【請求項６】
前記照明の表示が、ゲーム段階の所定の一覧に従ってカスタマイズされるように構成される、請求項４又は５に記載のトークンソート装置。
【請求項７】
前記シグナリング部材が、前記投入開口部の周辺部に配置される、請求項１〜６のいずれか一項に記載のトークンソート装置。
【請求項８】
前記ゲーム用トークンがゲーム用チップを含む、請求項１〜７のいずれか一項に記載のトークンソート装置。
【請求項９】
前記所定の特性が、色、不透明度、大きさ、形状、密度、質量、重量、凹、凸、エンボス加工、表面印、表面数値、表面画像、表面インデックス、表面パターン、前記トークンに記憶されたデータ値、の範囲から選択される１つを含む、請求項１〜８のいずれか一項に記載のトークンソート装置。
【請求項１０】
前記ソート機構が、ソートされたトークンを前記ユーザに提示するようにさらに構成される、請求項１〜９のいずれか一項に記載のトークンソート装置。
【請求項１１】
前記トークンソート装置の動作に関連する第１の動作データを取得するように構成される少なくとも１つのセンサをさらに備える、請求項１〜１０のいずれか一項に記載のトークンソート装置。
【請求項１２】
前記第１の動作データを記録及び記憶するように構成される、請求項１１に記載のトークンソート装置。
【請求項１３】
前記第１の動作データが、前記トークンソート装置の状態、ゲーム用トークンの合計、ゲームの持続時間、ゲーム段階の持続時間、の範囲から選択される少なくとも１つを含む、請求項１２に記載のトークンソート装置。
【請求項１４】
前記記憶された動作データをサーバに通信するように構成される、請求項１３に記載のトークンソート装置。
【請求項１５】
前記ゲームをプレイするために使用される少なくとも１つの物理的な乱数生成器と通信するように構成される、請求項１〜１４のいずれか一項に記載のトークンソート装置。
【請求項１６】
前記物理的な乱数生成器が、第２の動作データを検出するように構成される少なくとも１つの物理的な乱数生成器センサを備え、前記第２の動作データが前記乱数生成器の動作に関連する、請求項１５に記載のトークンソート装置。
【請求項１７】
前記物理的な乱数生成器センサから前記第２の動作データを受信するようにさらに構成される、請求項１６に記載のトークンソート装置。
【請求項１８】
前記第２の動作データを記録及び記憶するように構成される、請求項１７に記載のトークンソート装置。
【請求項１９】
前記第２の動作データが、ゲームの段階、ゲームの状態、ゲームの開始、ゲームの終了、ゲームの持続時間、ゲーム段階の開始、ゲーム段階の終了、ゲーム段階の持続時間、ゲームの結果、ゾーン偏り、数字偏り、前記物理的な乱数生成器の物理的な配向、の範囲から選択される少なくとも１つを含む、請求項１６〜１８のいずれか一項に記載のトークンソート装置。
【発明の詳細な説明】
【発明の分野】
【０００１】
本発明は、ゲーム用装置に関し、特にカジノで使用するためのゲーム用装置に関する。
【発明の背景】
【０００２】
カジノで移転及び使用される通貨は、プレイされるゲームによって多様な形態を取り得る。多くのゲームでは、通貨はゲーム用チップなどのゲーム用トークンの形態を取る。
【０００３】
ルーレットのようなゲームでは、ゲーム用チップが何年も使用されてきた。ゲーム用チップの使用の初期の例では、忙しい時はルーレットテーブルごとに複数のスタッフメンバが使用される場合があった。これらのスタッフメンバは、ゲームを仕切ること、ベットを置くこと、規制の遵守を確実にするためレイアウトを見張ること、出目にドリーを置くこと、最後にレイアウトをクリアにすること、についての担当を共有する。必ず、そのテーブルの別のディーラが、ゲーム用チップを単一の色にソートし戻して、それらを所定の量に積み上げる担当だけを有する。１ゲーム日において複数のシフト及び休憩中のカバーがあるため、単一のルーレットテーブルをカバーするためのスタッフの数は最適ではなかった。
【０００４】
１テーブル当たりのスタッフ数を削減するために、チップソート機械がほとんどの会場に導入されてきており、それに伴って使用されるチップを再利用し、ソートし、配る速度がさらに速くなったが、これらの現在のソート機械はなおいくつかの不利な点をもたらしている。
【０００５】
障害のための機械の定期的な停止及びチェックは、セキュリティリスクを生じさせ、メンテナンス時間、したがって、機械が使えない時間を長くする。ソーティングの速度は速くなったが、所与の期間におけるゲーム数を最大化するために、なおパフォーマンス及びプレイ時間を最適化する改善の余地がある。所与の期間におけるゲーム数を最大化することは、プレーヤへの報酬についてより多くの機会をもたらし、プレーヤの興奮を高め全体的な消費者体験を向上させる。現在の機械は、現時点では、それらが伴うゲームのプレイを補助することにおいて、効果を最大化するために使用されていない。
【０００６】
したがって、ゲーム用装置のより効果的な動作を可能にする補助的な機能性をゲーム用装置に与えるよう使用することができる装置を提供することが望ましい。
【発明の概要】
【０００７】
本発明の第１の態様によると、ゲーム用トークンを使用してゲームを補助するように構成されるトークンソート装置であって、ゲームが複数の段階を有し、トークンソート装置が、ゲーム用トークンを受け入れるように構成される投入開口部と、ゲーム用トークンの所定の特性に従ってゲーム用トークンをソートするように構成されるソート機構と、投入開口部によって受け入れられたゲーム用トークンをソート機構に移すように構成される移動部材と、ソート機構及び移動部材の画像を取得するように構成されるカメラと、カメラとデジタル通信する表示部材であり、画像をユーザに表示するように構成される、表示部材と、シグナルをユーザに提供するように構成されるシグナリング部材であり、シグナルがゲームの段階又はゲームの状態を示すように構成される、シグナリング部材とを備える、トークンソート装置が提供される。
【０００８】
本発明の文脈において、用語「ゲーム用（gaming、ゲーミング）」は、当業者により「賭博用（gambling、ギャンブリング）」を意味すると理解される。
【０００９】
本発明の第１の態様によるトークンソート装置は、投入開口部により受け入れられたゲーム用トークンをソートすることにより、ゲーム用トークンを使用してゲームを補助するために使用されることが好ましい。ゲームは、複数の段階を含むことが好ましい。ゲームにおける段階は、ユーザからの要求に相当することが好ましい場合があり、要求は、トークンソート装置の投入開口部へのゲーム用トークンのユーザによる提供を決定する。ユーザはゲームのクルピエ又はディーラであることが好ましい。
【００１０】
トークンソート装置は、ユーザにシグナルを提供するように構成されるシグナリング部材を備え、シグナルは、ゲームの段階を示し、したがって、トークンソート装置の投入開口部へのゲーム用トークンの提供についての要求をユーザに示すことが好ましい。シグナリング部材は、ユーザにプロンプトを提供することが好ましく、ゲームのプレイの最適化を可能にすることがより好ましい。
【００１１】
一実施形態において、特定の期間におけるプレイ数を最大化し、以て報酬についてのより多くの機会をプレーヤにもたらすために、ゲームをプレイする速度を上げることが好ましい場合がある。シグナリング部材は、ユーザがトークンソート装置の投入開口部にゲーム用トークンを提供する速度を上げることが好ましい。
【００１２】
さらなる実施形態において、正しいゲーム段階の間、投入開口部に正しいゲーム用トークンを提供することにおいて、ユーザの正確さを高めることが好ましい場合がある。シグナリング部材は、ゲームのある段階の間、ユーザがトークンソート装置の投入開口部に正しいゲーム用トークンを提供する正確さを高めることが好ましい。
【００１３】
シグナルはトークンソート装置の状態を示すようにさらに構成されることが好ましい。
【００１４】
本発明のトークンソート装置は、プレイ中のゲームの特性に関連するデータ収集をサポートするために使用されることが好ましい。プレイ中のゲームの特性は、ゲーム段階の間に投入開口部によって受け入れられたゲーム用トークンの数、及び／又は前記受け入れられたゲーム用トークンの特性を含むことが好ましい場合がある。トークンソート装置は、ゲーム段階の間、投入開口部によって受け入れられたゲーム用トークンのデータ特性を検出するように構成されるセンサを備えることが好ましい。データは、ゲーム段階の間、投入開口部によって受け入れられたゲーム用トークンの数を含むことが好ましい。データはゲーム用トークンの所定の特性を含むことが好ましい。トークンソート装置は、センサによって取得されたデータを記憶するように構成されるメモリを備えることがより好ましい。トークンソート装置は、記憶されたデータを処理するように構成されるプロセッサを備えることがより好ましい。トークンソート装置は、記憶されたデータ及び／又は処理されたデータを送信するように構成される送信機を備えることが最も好ましい。データはゲームのプレイについてのより正確な情報を提供するために使用されることが好ましく、情報は統計的な分析を含むことが好ましい場合があり、プレイ最適化手法を通知するために使用されることが好ましい場合がある。本発明の文脈において、プレイ最適化手法は、ゲームがプレイされる速度及び／又は正確さを向上させることを含む場合がある。
【００１５】
投入開口部は、一度に複数のゲーム用トークンを受け入れるように構成されることが好ましく、一度に複数のゲーム用トークンを投入するための最大の容易性を提供するように形状付けられていることがより好ましい。投入開口部は略円形であることがより好ましく、投入開口部は漏斗内に設けられることが最も好ましい。トークンソート装置は、ソート機構を使用して投入開口部によって受け入れられたゲーム用トークンをソートするようにさらに構成される。移動部材は、投入開口部によって受け入れられたゲーム用トークンをソート機構に移すように構成される。
【００１６】
ソート機構はゲーム用トークンの所定の特性を検出するように構成される少なくとも１つのセンサを備えることが好ましい。ソート機構は所定の特性に従ってゲーム用トークンを少なくとも１つのスタックにソートするように構成されるスタック部材を備えることがより好ましく、ソートされたトークンの少なくとも１つのスタックを提供することが好ましい。ソート機構はソートされたトークンの少なくとも１つのスタックをユーザに提示するように構成される少なくとも１つのチャネルを備えることがより好ましい。ソートされたトークンの少なくとも１つのスタックは、所定の数に従ってグループに分けられることが好ましい。所定の数は、ゲームにおける所与の段階においてユーザによって取られるトークンの標準の数であることが好ましい。
【００１７】
現在利用可能なトークンソート装置のルーチンメンテナンスは、通常、継続運転の期間の終了ごとに、トークンソート装置を開くこと、及びクリアにすることを含む可能性がある。そのようなトークンソート装置を開くこと、及びクリアにすることの目的は、潜在的な障害を取り除くこと、及びトークンソート装置の長期運転を促進することであり得る。本発明の第１の態様において、ソート機構及び移動部材の画像を表示するように構成される表示部材を見ることにより、ユーザが潜在的な障害の有無を特定することができ、以てソート装置を不必要に開くこと及びクリアにすることを、あらゆる関連するダウンタイムと共に回避できることが好ましい。したがって、ユーザは、表示部材を見ることにより潜在的な障害が特定されない場合、トークンソート装置を閉じて使用中にしたままにすることを選ぶことができる。
【００１８】
表示部材は、タッチ感応画面を備え、タッチ感応画面をタッチすることによりユーザからの命令の入力を許可するようにさらに構成されることが好ましい。命令の入力は、トークンソート装置の内部メモリに記憶された情報にアクセスするために使用されることが好ましい場合があり、記憶された情報は、ゲームについての情報、表示部材に表示されるユーザへのプロンプト、ゲーム段階の間に投入開口部によって受け入れられたゲーム用トークンのデータ特性、及び／又はゲーム若しくはゲーム段階の開始時間、終了若しくは持続時間のデータ特性を含むことが好ましい。表示部材は、グラフィカルユーザーインターフェースを備えることが好ましく、容易な搭載ソフトウェアのナビゲーション及びトークンソート装置への命令の入力を可能にしていることが好ましい。表示部材は動画を再生するように構成される画面を備えることが好ましい。
【００１９】
カメラが、トークンソート装置の内部の画像を提供するように構成されることが好ましい。カメラは、カメラが画像を取得する方向を定義する配向を有することがより好ましい。カメラの配向は調整することができることがさらにより好ましい。カメラの配向の調整は、適当な入力命令を、表示部材内に設けられることが好ましい、タッチ感応画面に与えるアクションを通じてユーザによって実施することができることがさらにより好ましい。カメラの配向はユーザにトークンソート装置を調査するための機能を提供するために調整することができることが最も好ましい。トークンソート装置の調査は、トークンソート装置の定期メンテナンスにかかる時間を削減することが好ましく、関連するダウンタイム及び作業時間を削減することが好ましい。
【００２０】
シグナリング部材は少なくとも１つの照明部材を備えることが好ましい。シグナルは照明の表示を含むことがより好ましい。照明の表示は、一連の照明を含むことがさらにより好ましい。照明の表示は、ゲーム段階の所定の一覧に従ってカスタマイズされるように構成されることが最も好ましい。
【００２１】
シグナリング部材は、ゲーム段階へのカウントダウンを提供するように構成されることが好ましい。
【００２２】
センサが、トークンソート装置及び／又は物理的な乱数生成器の異常を検出するように構成されることが好ましい。シグナリング部材は、異常を示すシグナルをユーザに提供するように構成されることがより好ましい。
【００２３】
シグナリング部材は前記投入開口部の周辺部に配置されることが好ましい。
【００２４】
好ましい実施形態において、投入開口部は漏斗の縁部周りに配置される照明部材を備えるシグナリング部材を有する漏斗内に設けられる。照明部材は、複数の色、色相、濃淡、及び変形を表示するように構成されるＬＥＤの列を備えることがより好ましい。照明部材は、前記複数の色、色相、濃淡、及び変形を表示するようにプログラムされるように構成されることがさらにより好ましい。照明部材は、照明部材のすべての照明、若しくはいくつかの照明を提供するか、又はどの照明も提供しないようにプログラムされるように構成されることがさらにより好ましく、一度に、又は一定期間にわたって、例えばゲームの期間中に連続的に、提供されることが好ましい場合がある。
【００２５】
前記ゲーム用トークンは、ゲーム用チップを含むことが好ましい。
【００２６】
前記所定の特性は、色、不透明度、大きさ、形状、密度、質量、重量、凹、凸、エンボス加工、表面印、表面数値、表面画像、表面インデックス、表面パターン、トークンに記憶されたデータ値、の範囲から選択される１つを含むことが好ましい。
【００２７】
トークンソート装置は、ソートされたトークンをユーザに提示するように構成される少なくとも１つのチャネルをさらに備えることが好ましい。トークンソート装置は、ソートされたトークンをユーザに提示するように構成される複数のチャネルを備えることがより好ましい。ソート機構は、ソートされたトークンを前記チャネルに沿ってスタックするように構成されることがより好ましい。ソート機構は、トークンを前記スタックの底部から挿入することにより、トークンを前記チャネルに沿ってスタックするように構成されることが最も好ましい。
【００２８】
トークンソート装置は、ソート装置の動作に関連する第１の動作データを取得するように構成される少なくとも１つのセンサをさらに備えることが好ましい。トークンソート装置は、少なくとも１つのセンサから第１の動作データを記録及び記憶するように構成されることがより好ましい。第１の動作データは、ゲーム用トークンの合計、ゲームの持続時間、ゲーム段階の持続時間、トークンソート装置の異常、の範囲から選択される少なくとも１つを含むことがさらにより好ましい。
【００２９】
好ましい実施形態において、第１の動作データは、プロセッサによって受信し、処理することができる。プロセッサは、プロセッサによって受信された第１の動作データに従って、シグナリング部材を制御することができることがより好ましい。
【００３０】
トークンソート装置は記憶された第１の動作データをサーバに通信するように構成されることが好ましい。
【００３１】
トークンソート装置は、ゲームをプレイするために使用される少なくとも１つの物理的な乱数生成器と通信するように構成されることが好ましい。物理的な乱数生成器は、第２の動作データを検出するように構成される少なくとも１つの物理的な乱数生成器センサを備え、第２の動作データは乱数生成器の動作に関連することがより好ましい。トークンソート装置は、物理的な乱数生成器センサから第２の動作データを受信するようにさらに構成されることがさらにより好ましい。トークンソート装置は、第２の動作データを記録及び記憶するように構成されることがさらにより好ましい。
【００３２】
第２の動作データは、ゲームの開始、ゲームの終了、ゲームの持続時間、ゲーム段階の開始、ゲーム段階の終了、ゲーム段階の持続時間、ゲームの結果、ゾーン偏り、数字偏り、結果偏り、物理的な乱数生成器の物理的な配向、の範囲から選択される少なくとも１つを含むことが好ましい。第２の動作データはトークンソート装置に設けられたプロセッサによって受信することができることがより好ましい。プロセッサは、受信された第２の動作データ情報に従って、シグナリング部材を制御することができることがより好ましい。
【００３３】
物理的な乱数生成器は、ルーレット回転盤（roulettewheel、ルーレットホイール）であることが好ましい。ルーレット回転盤は自動化されていることがより好ましい。ルーレット回転盤はボウルを備え、ボウルは、ボールが運動量を失って縁部に沿う位置から落下し、ボウル内に配置されるルーレット回転盤のポケットに着地する前に、沿って移動するように構成される縁部を有しており、ポケットは数字と色を有していることがより好ましい。実施形態において、物理的な乱数生成器はルーレット回転盤であり、第２の動作データは、ルーレットゲームの結果、ボールが着地したルーレット回転盤のポケット、ポケットの色、ポケットの数字、ボールが落下した縁部の位置、縁部周りの少なくとも１つの地点から得られるボールの速度、落下ゾーン偏り、ポケット偏り、ポケットの頻度、ルーレット回転盤の物理的な配向、の範囲から選択される少なくとも１つを含む。
【００３４】
表示部材は、第１の動作データ及び／又は第２の動作データを表示するように構成されることが好ましい。
【００３５】
トークンソート装置はサーバから情報を受信するように構成されることが好ましい。サーバから受信された情報はカジノの運用に関連する情報を含むことがより好ましい。カジノの運用に関連する情報は、プレーヤがいつゲームのプレイを要求するか又は開始するかの指標、カジノ全体の通知、ゲームがいつ終了するかの指標、トークンソート装置の運用がいつ停止する予定かの指標を含む場合があることがさらにより好ましい。サーバから受信された情報はトークンソート装置に設けられたプロセッサによって処理することができることがより好ましい。サーバから受信された情報は、シグナリング部材を制御するためにプロセッサによって使用することができることが最も好ましい。好ましい実施形態において、カジノ内に配置されるサーバは、カジノの運用に関連する情報を、トークンソート装置のプロセッサに提供するために使用することができる。好ましい実施形態において、プロセッサは、受信した情報に従って、シグナリング部材を制御するように構成される。好ましい実施形態において、シグナリング部材の制御は、トークンソート装置のユーザに受信した情報について報知するために使用される。
【００３６】
本発明の第２の態様によると、ゲーム用トークンを使用してゲームを補助するように構成されるトークンソート装置であって、ゲームが複数の段階を有し、トークンソート装置が、ゲーム用トークンを受け入れるように構成される投入開口部と、ゲーム用トークンの所定の特性に従ってゲーム用トークンをソートするように構成されるソート機構と、投入開口部によって受け入れられたゲーム用トークンをソート機構に移すように構成される移動部材と、シグナルをユーザに提供するように構成されるシグナリング部材であり、シグナルがゲームの段階又はゲームの状態を示すように構成される、シグナリング部材とを備える、トークンソート装置が提供される。
【００３７】
トークンソート装置は、ソート機構及び移動部材の画像を取得するように構成されるカメラをさらに備えることが好ましい。トークンソート装置は、カメラとデジタル通信する表示部材であり、画像をユーザに表示するように構成される、表示部材をさらに備えることがより好ましい。
【詳細な説明】
【００３８】
次に、単なる例として、添付の図面を参照して、具体的な実施形態を説明する。
【図面の簡単な説明】
【００３９】
【図１】図１は、本発明によるトークンソート装置を備えるゲーム用テーブルの斜視図である。
【図２】図２は、図１に示される本発明の第１の態様によるトークンソート装置の断面図である。
【図３Ａ】図３Ａ及び図３Ｂは、図１及び図２に示される本発明の第１の態様による表示部材の例示の図である。
【図３Ｂ】図３Ａ及び図３Ｂは、図１及び図２に示される本発明の第１の態様による表示部材の例示の図である。
【図４Ａ】図４Ａ及び図４Ｂは、図１及び図２に示される本発明の第１の態様による表示部材のさらなる例示の図である。
【図４Ｂ】図４Ａ及び図４Ｂは、図１及び図２に示される本発明の第１の態様による表示部材のさらなる例示の図である。
【図５】図５は、図１及び図２に示される本発明の第１の態様による表示部材のさらなる例示の図である。
【００４０】
図１を参照すると、水平な配向を有し、略長方形の上面１２の第１の端部に位置する第１のスタンド部分１６及び略長方形の上面１２の第２の端部に位置する第２のスタンド部分１８を有するスタンド１４で支持される略長方形の、平坦な上面１２を備えるゲーム用テーブル１０が示されている。自動化されたルーレット回転盤２０が第２のスタンド部分１８に組み込まれており、自動化されたルーレット回転盤２０は、上面１２の周辺のあらゆる地点から見えるように位置付けられている。
【００４１】
第１のスタンド部分１６によって支持される上面１２の部分は、ベット部分２２を備え、ベット部分２２はルーレットのゲームのために利用可能なベット選択肢を詳細に描いたインデックスの存在によって特定される。上面１２の切欠き部分２４は、自動化されたルーレット回転盤２０に近接して配置され、切欠き部分は、本発明によるトークンソート装置２６を収容するように構成され、トークンソート装置２６は投入開口部２８を備える。
【００４２】
投入開口部２８は、上面１２の開口部内に収容され、略円形であり、シグナリング部材３０を画定する縁部を有し、シグナリング部材３０は投入開口部２８の周囲に配置され、ＬＥＤを含む照明部材を備える。トークンソート装置２６は投入開口部２８によって受け取られたトークンを、上面１２から離れるように傾斜する複数のチャネルを画定し、ソートされた円盤形状のゲーム用トークンのスタックを収容するようサイズ決めされたソート機構３２に移すように構成される移動部材（図示せず）をさらに備え、前記トークンはトークンソート装置によって、前記トークンの所定の特性に従って前記スタックにソートされる。
【００４３】
表示部材３４は、傾斜するチャネルに対して実質的に反対側となるトークンソート装置の表面に配置され、表示部材３４はトークンソート装置のユーザによって見られるように構成される長方形のタッチ感応画面を備える。
【００４４】
ルーレットゲームの段階は、ゲーム用テーブルのベット部分によって輪郭付けられた利用可能なベット選択肢に従ってプレーヤがベットを置くことを許可されているベット期間を含むことができる。ベット期間の後には「ｎｏ  ｍｏｒｅ  ｂｅｔｓ」期間が続くことができ、その期間プレーヤはベットを置くことがもはや許可されない。「ｎｏ  ｍｏｒｅ  ｂｅｔｓ」期間の後、又は代替的に「ｎｏ  ｍｏｒｅ  ｂｅｔｓ期間」の構成要素は、終了期間となる可能性があり、その間ゲーム用テーブルはリセットされ、勝者は報酬を得る。ルーレットのゲームに対するさらなる段階が存在する、さらなる実施形態があることは明らかであろう。
【００４５】
使用中、シグナリング部材はルーレットゲームのそれぞれの段階に固有の照明の表示を提供するように構成される。これは、ゲーム段階を観察するために、クルピエ、ディーラ、スーパーバイザー、及び／又はセキュリティスタッフにゲーム段階を示すためである。この利点としては、クルピエ又はディーラからの改善されたタイミング及び正確さ、並びに改善されたセキュリティが挙げられる。
【００４６】
図２を参照すると、本発明によるトークンソート装置２６の例示の実施形態の断面図が示されている。トークンソート装置は、投入開口部３０を支持する上面を有する略立方体様基部３６を備える。投入開口部３０は、基部３６の内部空洞３８への投入の経路を与え、空洞は移動部材４０を収容しており、投入開口部３０によって受け入れられたゲーム用トークンを、ゲーム用トークンの所定の特性に従ってゲーム用トークンをソートするように構成されるソート機構４２に移すように構成される。ソート機構４２は、複数の垂直方向に傾斜するチャネル４４を備え、ソート機構４２はソートされたゲーム用トークン２６のスタックを収容するように構成される。カメラ４６が、空洞３８の上方角部に位置付けられ、移動部材４０を撮像するよう配向している。傾斜するチャネル４４の頂点には表示部材４８が位置付けられており、傾斜するチャネル４４の頂点から下方に傾くタッチ感応画面５０を有し、トークンソート装置２６とは反対を向いている。トークンソート装置は、装置の使用に関し、特定の期間に投入開口部２８によって受け入れられたトークンの数を含む動作データを検出するように構成される複数のセンサ（図示せず）をさらに備える。トークンソート装置は、センサによって取得された動作データを処理して記憶するように構成されるプロセッサ５２及びメモリ５２をさらに備える。プロセッサ５２、メモリ５２、カメラ４６、表示部材４８、センサ（図示せず）、及びシグナリング部材３０は、すべて互いにデジタル通信するように構成される。
【００４７】
ソート装置のソート機構要素は、例えば英国特許出願公開第２３３３６３２号に説明されているようなものであり得、その場合、移動部材４０は投入開口部２８から落下するゲーム用トークン２６を受け入れるように構成される凹部（図示せず）を有するコンベヤ４０（ソート機構を容易に議論するために同じような符号４０で符号付けしてある）を備える。振動機構（図示せず）は、コンベヤを振動させて、凹部内でトークンの効果的な収容を確実にしている。また、振動機構は、凹部内に収容されていないトークンをコンベヤ４０の下方の空洞に落下させ、そこには回収機（図示せず）が位置付けられており、非スタックトークンをコンベヤ４０の下方からコンベヤ４０に戻すように構成される。
【００４８】
コンベヤ４０は、ゲーム用トークン２６をセンサ（図示せず）に向かって搬送し、この時、トークンの所定の特性を識別することができる。示される実施形態において、所定の特性とはトークンの色である。所定の特性が、例えば形状、大きさ、重量、テクスチャ、パターン、文字列又はトークン内に含まれるメモリに記憶されるデータなど、色以外の何かである、さらなる実施形態が了解されよう。示される実施形態において、センサは、トークンの縁部分の色を検出するための光学的な検出器配置構成を備える。様々な値、すなわち様々な識別情報のトークンは、様々な色を有しており、これはセンサ及びプロセッサ５２に渡された適当な色シグナルによって検出することができる。次いでトークンは、コンベヤ４０でチャネル４４内のトークン２６のスタックの基部間を通過し、その下にソート機構４２が、適当なトークンを適当なチャネル４４に移送するために位置付けられるソレノイドの線形アレイを備えて構成される。
【００４９】
トークンはこのように、コンベヤ４０に沿ってセンサを通過し、トークン２６のスタックを構成するチャネル４４の基部に沿って通過して、運搬される。センサは、トークンをその色によって識別し、トークンを正しいチャネル４４に挿入するためにソレノイドを制御するために、プロセッサ５２はセンサから色シグナルを受信する。
【００５０】
トークンの正しいチャネル４４への挿入には、プロセッサ５２によって制御されるソレノイドにより作動されるピンを使用してトークンの前縁を選択的に持ち上げることを伴う。ピンは、トークンを保持するように構成されるコンベヤ内の凹部の下方で配置構成され、トークンの前縁を持ち上げるために凹部の前縁に向けて位置付けられる。ソレノイドがプロセッサによって選択的に作動される際、ソレノイドはピンと係合し、ピンは上方に動かされ、以てトークンの前縁を持ち上げる。
【００５１】
次いでトークンの前縁は、正しいチャネル４４の下方でソート機構４２内の下部隆起部に接する。隆起部は、トークンがコンベヤ４０の駆動力によってトークンのスタックの底部に押し付けられるように面取りされる。ピンが前縁を持ち上げる際、トークンの後縁を拘束するために、さらなる部材が設けられる。したがって、トークンは、ラックの基部を形成するバーの穴を通って延在するトークン２６のスタックの底部に乗り上げる。スタックの底部へトークンが進入する力は、新しいトークンを収容するためにスタックを上昇させるのに十分である。コンベヤ４０及びソート機構４２の速度は、プロセッサ５２によって修正され、トークンのスタッキングを最適化するために表示部材から制御することができる。
【００５２】
使用中、示される実施形態にしたがうトークンソート装置のユーザは、ゲーム用テーブルにつくクルピエである。トークンソート装置は、ルーレットゲームの段階及びルーレット回転盤の使用に関連付けられる様々な他の動作データに関する自動化されたルーレット回転盤からの情報を受信するように構成される。
【００５３】
図３Ａを参照すると、表示部材４８の例示的な見え方が示されており、メニュー領域５４を有し、トークンソート装置２６若しくはルーレット回転盤２０の制御のための複数の選択肢を有し、トークンソート装置２６若しくはルーレット回転盤２０に対する診断的タスクを実施し、及び／又はトークンソート装置２６若しくはルーレット回転盤２０の使用に関する動作データを可視化する、タッチ感応画面５０を示している。タッチ感応画面５０は、スーパーバイザー若しくはユーザに報知するため、又はカメラ４６から取得された画像を見るための選択肢を有する制御領域をさらに設ける。図３Ｂは、本発明の表示部材４８のタッチ感応画面５０の例示的な見え方を示しており、内部カメラ４６を使用して取得された画像を表示しており、画像はトークンソート装置にとって危険物となり得るあらゆる外部の、又は悪質な物体の識別情報を与える。
【００５４】
表示部材４８は、メニュー項目を迅速かつ容易に探索するための機能を与える明瞭なオンスクリーンのメニューを提供し、これはトークンソート装置の状態、移動部材のカメラ画像、ルーレット回転盤の状態に関連する動作上のデータについてトークンソート装置の調査を含む場合がある。表示部材は拡大可能な見え方を可能にしており、タッチ感応制御を省略して表示される項目の拡大された見え方を与えることができる。これは、より容易なメニューの見え方を提供し、変更を行うことを迅速かつ効率的に提供し、ディーラによりメニュー画面を移動して費やされる余分な時間を制限している。
【００５５】
カメラ４６により、トークンソート装置内の悪質な物品の識別が可能となり、これは装置の安全且つ継続される稼働に対する危険物を提示することができる。そのような物品の迅速かつ効果的な識別は、煩雑なカバーの除去及び移動部材の検査を伴い得る装置のメンテナンスを要求する必要性を除去することが可能である。これは、さらに追加的な利点である改善されたセキュリティを与える場合があり、装置を開放させて潜在的にトークン盗難にさらさせるために、トークンソート装置内に意図的に投げ入れられた可能性のある物品を見抜く機能を与える。したがって、先述のような表示部材の拡大可能な見え方と併せて、カメラは疑わしい又は悪意のある行為の特定における一助となる。
【００５６】
表示部材は、図４Ａで示されるようなトークンカウントなどのトークンソート装置、又は図４Ｂで示されるような回転盤偏りレポートなどのルーレット回転盤から取得された動作データの可視化を与えるようにさらに構成される。そのような動作データは、ルーレット回転盤センサ又はトークンソート装置センサから取得されたデータのオンボード分析に関する複数のレポートを含むことができる。図４Ｂに見られるような回転盤偏りレポートにより、ディーラ、スーパーバイザー、装置メンテナンススタッフ又は技術者は、ルーレット回転盤の結果に関連付けられる偏りに関するデータを見ることができる。表示の拡大可能な見え方は、ルーレット回転盤の調整又はメンテナンスの必要性を強調することができる、個々の偏った数字、ポケット又は落下ゾーンの特定において一助となることができる。表示部材を使用して偏りレポートを見る機能は、回転盤偏りに関する情報を見るためにコンピュータにログインする必要性を除去する。偏りの特定を行うことができる速度が速くなることは、潜在的に悪意のある、又は疑わしい行為を早期に強調し、セキュリティを改善する可能性をさらに有している。
【００５７】
内蔵傾斜計を有するルーレット回転盤を含む実施形態について、測定値、レポート、及び記録された情報は、図５に示されるように本発明の表示部材上で見ることができ、さらなる偏りの原因となり得るルーレット回転盤のズレの早期の指標を与える。
【００５８】
いくつかの実施形態において、カメラは広角、パノラマ又は３６０度カメラであり、カメラ配向の調整の必要性を最低限にしつつ最大視野を可能にしている。
【００５９】
上述の実施形態は、単に例として与えられており、添付の特許請求の範囲において定義されるような本発明の範囲から逸脱することなく、説明される実施形態に対する様々な修正形態がなされる可能性があり、例えばシグナリング部材がさらなる照明の表示、例えばルーレット回転盤ボールをスピンさせるタイミングなど特定のゲーム段階の開始を意味するカウントダウンなどを実施する実施形態が明白であろうことが了解されよう。カウントダウンは、シグナリング部材３０の、投入開口部２８を囲む円環のセグメントなど個々のセグメントの連続的な照明を含む場合がある。この特徴の利点としては、ゲーム用テーブルからの、ディーラ用コンソールなどのあらゆるさらなるインジケータの除去が挙げられる。
【００６０】
本発明のトークンソート装置を使用して正しいゲーム段階を示すことは、ディーラ及びクルピエ最適化の一助となり、ゲームが管理される正確さと速度を改善することが好ましい。例としては、トークンがカウントされない段階のシグナルと比較して、チップなどのゲーム用トークンがカウントされる段階において、シグナリング部材から別個のシグナルを与えることによりクルピエ又はディーラに示すことが挙げられよう。そのような状況の例としては、ゲーム用テーブルで勝者に報酬を支払う時が挙げられよう。そのような状況では、しばしば勝ちに支払うために使用されるトークンから追加のトークンがあり、それらはディスカードされ、これらはプレーヤによって寄与されたトークンにカウントされるべきではない。トークンがディスカードされ得る他の事例としては、カットスタックトークンが挙げられる。３５トークンのセットでは、すべてのカットスタックから５トークンがディスカードされる場合がある。これらのように使用されずディスカードされるトークンは、例えば「ディスカードトークン」、「未使用トークン」、又は「プレーヤ放棄トークン」などのステータスが割り当てられる場合がある。これらのディスカードされたトークンは、監視、統計、又はデータ分析の対象とはならない可能性があり、そのような場合、カウントされるトークン又はゲームから解析されるトークンには含まれない。シグナリング部材からのシグナルは、これをディーラに強調することができる。
【００６１】
シグナリング部材のシグナルからの追加的な指標は、報知、警告、又はカジノ状況情報を提供することを含む場合がある。そのような報知は、例えばローカル又はリモートの、電子端末又はデバイスがゲーム用テーブルでのプレイに現在関与しているかどうかを示すために使用される場合がある。これは、テーブルにローカルのプレーヤがいない場合であっても、ルーレット回転盤をスピンさせることが必要かどうかを、ディーラ又はクルピエに有益に示す。
【００６２】
さらなる例としては、カジノ管理ネットワーク又はシステムからの、情報又は報知の提供が挙げられ、これはトークンソート機械の充填（ｆｉｌｌｉｎｇ）又はクレジット（ｃｒｅｄｉｔ）が差し迫って発生することを示す場合がある。そのような指標は、ディーラに、次のゲームに続いてそのテーブルの運用が一時的に休止することをプレーヤに報知するよう強調する。
【００６３】
さらなるシグナルは、ゲーム用テーブル又はトークンソート機械が動作を停止するまでの残りのゲーム数の指標を含む場合がある。そのようなシグナルは、ディーラ又はクルピエに例えば残りのルーレット回転盤のスピンは３回だけであり、その内にゲーム用トークンをカウントし、そしてゲーム用テーブルを閉じることを強調する場合がある。
【００６４】
さらなる代替としては、例えば最小又は最大賭け値の変更など、全体的な更新が発生するまでの残りのゲーム数の指標を挙げることができる。ディーラ又はクルピエは、プレーヤが警告され得るように最小又は最大賭け値への変更を意識し、必要であれば新しい値ですべてのプレーヤに支払いをし、またプレーヤに買い付けさせるようにする必要があり得る。
【００６５】
シグナリング部材のさらなる使用としては、ディーラ又はクルピエにトークンソート機械にトークン詰まり又は問題があることを示すことを挙げることができる。
【００６６】
シグナリング部材によって与えられるシグナルのさらなる例としては、ルーレット回転盤の配向を示すことを挙げることができる。そのような指標は、ルーレット回転盤内に一体化された傾斜計から取得することができ、ディーラ又はクルピエに、ルーレット回転盤内の偏りに影響を及ぼすことがあるルーレット回転盤の配向が変わっているかどうかを示すために有用である。
【００６７】
シグナリング部材は、またルーレット回転盤のロータの速度、又は回転盤内のボールの速度の指標を与えるために使用することもできる。例として説明される実施形態を使用して、その速度に関して、投入開口部の周囲のシグナリング部材の一部を照明することにより、そのような指標が与えられ得る。そのようなシグナルは、特定のディーラについて、前記ディーラの以前のパフォーマンスに従って決定される「速度プロファイル」を考慮することができる。前記ディーラの速度プロファイルは、次いで、前記速度の指標と共に、ある指標をディーラパフォーマンスの品質として提供するシグナリング部材を使用して、前記ディーラについての最小及び最大の、ボール及びロータ速度を決定するために使用することができる。そのような指標はディーラパフォーマンスの最適化に使用することができる。
【００６８】
説明される実施形態では、シグナリング部材は投入開口部の周りの照明される円環の形態を取る。シグナリング部材がディーラ又はクルピエに情報を送信するために適切なあらゆるデバイスの形態を取る、さらなる実施形態が着想されるであろう。シグナリング部材は、ディーラ又はクルピエに情報を送信するために適切な、可視の、可読の、若しくは可聴のシグナル、又はそれらのあらゆる組合せを提供することができる。
［要約］ゲーム用トークンを使用してゲームを補助するように構成されるトークンソート装置であって、ゲームが複数の段階を有し、トークンソート装置が、ゲーム用トークンを受け入れるように構成される投入開口部と、ゲーム用トークンの所定の特性に従ってゲーム用トークンをソートするように構成されるソート機構と、投入開口部によって受け入れられたゲーム用トークンをソート機構に移すように構成される移動部材と、ソート機構及び移動部材の画像を取得するように構成されるカメラと、カメラとデジタル通信する表示部材であり、画像をユーザに表示するように構成される、表示部材と、シグナルをユーザに提供するように構成されるシグナリング部材であり、シグナルがゲームの段階又はゲームの状態を示すように構成される、シグナリング部材とを備える、トークンソート装置が提供される。本発明は、ゲームのプレイの段階の認識を維持して、ユーザパフォーマンスを最適化するために、トークンソート装置のユーザに対して容易に利用可能なプロンプトを提供することを目的としている。
【図１】
2021511862.tif 000003
【図２】
2021511862.tif 000004
【図３Ａ】
2021511862.tif 000005
【図３Ｂ】
2021511862.tif 000006
【図４Ａ】
2021511862.tif 000007
【図４Ｂ】
2021511862.tif 000008
【図５】
2021511862.tif 000009
【国際調査報告】
2021511862.tif 000010
2021511862.tif 000011
2021511862.tif 000012